(57)【要約】【課題】  扉と箱本体との間にパッキンを介在させた高気密なものにあっても容易に鎖錠できる電気電子機器収納箱の扉の鎖錠装置を提供する【解決手段】  扉１０１の側面に形成した折曲部１０２に取付ける軸受板１の軸孔部１１に、ハンドル部２の内面に突設した回動軸３を軸支して、該回動軸３の前記折曲部１０２を貫通させた先端３ａに設けたフック４を前記ハンドル部２の回動操作により扉１０１に施蓋される箱本体２０１に設けた受部材５に係脱自在とする。【選択図】  図１
2005248616.tif 000002
【特許請求の範囲】
【請求項１】
扉の側面に形成した折曲部に取付ける軸受板の軸孔部に、ハンドル部の内面に突設した回動軸を軸支して、該回動軸の前記折曲部を貫通させた先端に設けたフックを前記ハンドル部の回動操作により扉に施蓋される箱本体に設けた受部材に係脱自在としたことを特徴とする電気電子機器収納箱の扉の鎖錠装置。
【請求項２】
フックの受部材への係合部を該フックが受部材に係止状態にある時に回動軸に対して扉の開き方向と同一線上に位置するものとした請求項１に記載の電気電子機器収納箱の扉の鎖錠装置。
【発明の詳細な説明】
【技術分野】
【０００１】
本発明は、電気・電子機器収納箱の扉に取り付ける扉の鎖錠装置に関するものである。
【背景技術】
【０００２】
従来の電気電子機器収納箱の扉の鎖錠装置は、扉の前面に取り付けたハンドルの操作により止め金を取り付けた回動軸を回動させて、前記止め金を箱本体に設けた係止部に係止させたものが広く使用されている。ところが、このような止め金を係止部に係止させるものは、扉と箱本体との間にパッキンを介在させて高気密なものとする場合にパッキンの弾発力に抗して止め金を係止部にするには大きな力が必要であり操作しづらいという問題がある。
【０００３】
そこで、この問題を解決するものとして、ハンドルと鎖錠部をトグル機構を利用したクランプ式のものがある（特許文献１参照）。ところが、これは部品点数が多くコスト高となるという問題があった。
【特許文献１】特開２００３−３２８６０４公開特許公報（請求項２）
【発明の開示】
【発明が解決しようとする課題】
【０００４】
本発明は前記のような従来の問題点を解決して、簡単な構造に係わらず扉と箱本体との間にパッキンを介在させた高気密なものにあっても容易に鎖錠できる扉の鎖錠装置を提供するものである。
【課題を解決するための手段】
【０００５】
本発明の電気電子機器収納箱の扉の鎖錠装置は、扉の側面に形成した折曲部に取付ける軸受板の軸孔部に、ハンドル部の内面に突設した回動軸を軸支して、該回動軸の前記折曲部を貫通させた先端に設けたフックを前記ハンドル部の回動操作により扉に施蓋される箱本体に設けた受部材に係脱自在としたことを特徴とするものを請求項１に記載の発明とし、この発明において、フックの受部材への係合部を該フックが受部材に係止状態にある時に回動軸に対して扉の開き方向と同一線上に位置するものとしたものを請求項２に記載の発明とする。
【発明の効果】
【０００６】
請求項１に記載の発明は、軸受板を扉の側面に形成した折曲部に取付ければ、軸受板の軸孔部に軸支したハンドル部の内面に突設した回動軸の前記折曲部を貫通させた先端にフックが設けてあるので、該ハンドル部を回動操作することによりフックが、扉に施蓋される箱本体に設けた受部材に係脱して扉の鎖錠・解錠を行うものである。そして、鎖錠する際はフックの先端側が受部材の係止側に回り込んだうえ係止するので、扉と箱本体との間にパッキンを介在させて高気密なものであってもフックを受部材に係止する初期の段階ではパッキンの抵抗を受けることがないのでフックが受部材に係止することができ、その後はハンドル部をさらに回動することによりパッキンの弾発力に抗してフックを受部材に完全に係止して扉と箱本体との間に介在させたパッキンを締め付けて容易に高気密に鎖錠できるものである。また、フックが扉の内側に位置しているため外観上も優れたものである。
【０００７】
また、請求項２に記載の発明は、フックの受部材への係合部を該フックが受部材に係止状態にある時に回動軸に対して扉の開き方向と同一線上に位置するものとしたものであるから、パッキンによる扉に開き方向の力が加わってもその力はフックの受部材への係合部に下向きに係るのでフックが回動することがないため自然に解錠する虞のないものである。
【発明を実施するための最良の形態】
【０００８】
次に、本発明の好ましい実施の形態を図面に基づき説明する。
１は扉１０１の側面に形成した折曲部１０２に取付ける軸受板であり、該軸受板１の軸孔部１１にはハンドル部２の内面に突設した回動軸３が軸支されている。この回動軸３の前記折曲部１０２を貫通させた先端３ａにはフック４が設けらており、該フック４は前記ハンドル部２の回動操作により扉１０１に施蓋される箱本体２０１に設けた受部材５に係脱自在とされている。
【０００９】
前記軸受板１は軸孔部１１を折曲部１０２に設けた貫通孔１０２ａに臨ませたうえ該折曲部１０２の外側にて取り付けている。前記軸孔部１１に軸支する回動軸３を内面に突設したハンドル部２は、細長主板部２１の内面周縁の上部及び左右部に折曲部２２を張設した浅箱体に形成したもので、折曲部１０２を貫通させる回動軸３の先端３ａを回動軸３の円周内に納まる非円形短柱体すなわち四角短柱体に形成してフック４に設けた非円形孔４ａすなわち四角孔を嵌合させたうえ取り付けボルト４ｂを回動軸３の先端面から設けたネジ孔３１に螺合させて該フック４を設けている。
【００１０】
このフック４は受部材５への係合部４１ｂが該フック４が受部材５に係止状態にある時に回動軸３に対して扉１０１の開き方向に働く力と同一線上に位置するものとされている。すなわち、このフック４は板材の一側端から受部材５が介入できる横Ｕ字状の切込４０を設けて、切込４０に上側の板材部４０ａに回動中心となる回動軸３への固定部である非円形孔４ａを設け、また、切込４０の下端縁を受部材５の係止部４１として、該係止部４１の先端を低段部とした誘い込み部４１ａに形成して基端の係合部４１ｂとの間すなわち係合部４１ｂの先端に突起部４１を形成したものとしている。
【００１１】
また、前記受部材５は図１に示したように箱本体２０１の前面開口２０２の内側に立ち上げて周設した内折曲部２０３の側面に棒状に突設したものであり、図１及び図４に示すように受部材５はフック４に係止する先端側を短円柱部５１に基端側を大径の六角柱部５２に形成したもので、内折曲部２０３に透設したネジ挿通孔２０３ａから挿通した止めネジ２０４を六角柱部５２の基端面から設けたネジ孔５３に螺合して取り付けたものである。なお、この場合にネジ挿通孔２０３ａと受部材５との間に気密性を持たせるためネジ挿通孔２０３ａの周縁と六角柱部５２の基端面との間にゴムリング等のパッキン材を介在させることが好ましい。
【００１２】
また、ハンドル部２はフック４を受部材５に係合させた鎖錠状態とするときに、その折曲部２２の上板２２ａの外面を扉１０１の前面と平行となるように、フック４を受部材５から離脱させた解錠状態にあるときに上面を扉１０１の前面に対して傾斜状態となるようにして折曲部１０２の外面に位置させている。そして、ハンドル部２はこれと連動するフック４が鎖錠状態及び解錠状態を保持できるように保持機構部６により鎖錠・解錠位置においてハンドル部２そのものが保持できるものとされている。
【００１３】
この保持機構部６は前記回動軸３の基端周縁に突設した鎖錠位置保持用の係止突起６１ａ及び解錠位置保持用の係止突起６１ｂと、前記軸受板１の取付孔１ａにねじ固定され常時回動軸３の側面を押圧する係合凹部６２ａを備えた針がね固定ばね６２とから構成されており、ハンドル部２が鎖錠位置をとるときに図５（Ｂ）に示すように鎖錠位置保持用の係止突起６１ａに針がね固定ばね６２の係合凹部６２ａが、ハンドル部２が解錠位置をとるときに図６（Ｂ）に示すように解錠位置保持用の係止突起６１ａに針がね固定ばね６２の係合凹部６２ａが、夫々回動軸４の側面に押圧されて係合してハンドル部２を鎖錠・解錠位置において保持できる。特に扉１０１を開いた状態で解錠状態を保持できるので扉１０１を閉じる際にフック４が鎖錠状態の位置となり該フック４の外周縁が受部材５に当たることを防止できるものである。
【００１４】
また、前記ハンドル部２は鎖錠状態以上に正回動してフック４と受部材５との間に不要な力が加わりフック４及び受部材５が歪んだり、破損するのを防止するためと、解錠状態以上に逆回動してフック４が扉１０１の前面に当たりフック４及び扉１０１の歪み、破損防止のために、ハンドル部２が必要以上に正逆回動するのを抑止するためのストッパ機構７が設けられている。
【００１５】
このストッパ機構７は前記軸受板１の上縁に形成されておりハンドル部２の折曲部２２の上板２２ａの内面が鎖錠時又は解錠時に当接するものである。すなわち、鎖錠状態にあるときは回動軸３を中心に鎖錠方向の軸受板部１の上縁を扉１０１の前面と平行に形成したストッパ縁部７１がハンドル折曲部２２の上板２２ａの内面と当接するものとして、解錠状態にあるときは回動軸３を中心に解錠方向の軸受板部１の上縁を扉１０１の前面と傾斜させて形成した傾斜ストッパ縁部７２がハンドル折曲部２２の上板２２ａの内面と当接するものとして必要以上の正逆回動を抑止するものとしている。
【００１６】
さらに、ハンドル部２には図８に示すように該ハンドル部２を鎖錠状態でロックするための南京錠８を取り付けるための取付孔２３が設けてあり、該取付孔２３に挿通した南京錠８のロック棒８ａが前記ストッパ縁部７１に内側に連設したロック部材７１ａに当接してハンドル部２が回動できないものとすることができる。なお、図１、図２に示す９、９はハンドル部２の内面側両側に設けたボス孔部２５、２５に嵌合したプラスチック製の戸当り部材であり、扉１０１の折曲部１０２にハンドル部２が直接触れて傷付けるのを防止するものである。
【００１７】
このように構成されたものは、軸受板１を扉１０１の側面に取り付けた折曲部１０２に取付け、該軸受板１の軸孔部１１にハンドル部２の内面に突設した回動軸３を軸支したうえ該回動軸３の先端３ａを折曲部１０１を貫通させて該先端３ａにフック４を設けたものであるから、該ハンドル部２を回動操作することによりフック４が、扉１０１に施蓋される箱本体２０１の前面開口２０２の内側に立ち上げて周設した内折曲部２０３の側面に棒状に突設した受部材５に係脱して扉１０１の鎖錠・解錠を行うものである。
【００１８】
鎖錠する際は、フック４の先端側が受部材５の係止側に回り込んだうえ係止するので、扉１０１の内面と当接する箱本体２０１の内折曲部２０３の先端間にパッキン１０３を介在させて扉１０１を閉じる高気密なものであってもフック４を受部材５に係止する初期の段階ではパッキン１０３を押圧することなく行うことができ抵抗を受けることがないのでフック４を受部材５に容易に係止することがでる。そして、その後はハンドル部２をさらに正回動することによりパッキン１０３の弾発力に抗して該パッキン１０３を圧偏してフック４を受部材５に完全に係止して扉１０１と箱本体２０１との間に介在させたパッキン１０３を締め付けて容易に高気密に鎖錠できるものである。また、フック４が扉１０１の内側に位置しているため外観上も優れたものである。特に、フック４を板材の一側端から受部材５が介入できる横Ｕ字状の切込４０を設けて、該切込４０の下端縁を受部材５の係止部４１として、該係止部４１の先端を低段部とした誘い込み部４１ａに形成して基端の係合部４１ｂの先端に突起部４１ｃに形成したものにあっては顕著にこのような鎖錠を行うことができるものである。
【００１９】
また、前記フック４は受部材５への係合部４１ｂを該フック４が受部材５に係止状態にある時に回動軸３に対して扉１０１の開き方向に働く力と同一線上に位置するものとすることにより、パッキン１０３の弾発力により扉１０１に開き方向の力が加わってもその力はフック４の係合部４１ｂに下向きに係るのでフック４が回動することがないため自然に解錠する虞のないものである。さらに、このフック４は係合部４１ｂの先端側に突起４１ｃを形成しているものであれば、扉１０１に振動が加わりそれによりフック４が回動軸３を中心に枢動しても係合部４１ｂが受部材５から離脱して鎖錠が解除される虞もないものである。
【図面の簡単な説明】
【００２０】
【図１】本発明の実施形態の要部を分解して示す斜視図である。
【図２】本発明の実施形態を各部品毎に分解して示す斜視図である。
【図３】ハンドル部を内面側から示す斜視図である。
【図４】鎖錠状態を示す要部断面図である。
【図５】鎖錠状態を示す図であり、（Ａ）はハンドル部の外側から示す概略側面図、（Ｂ）はハンドル部の内側から示す概略側面図である。
【図６】解錠状態を示す図であり、（Ａ）はハンドル部の外側から示す概略側面図、（Ｂ）はハンドル部の内側から示す概略側面図である。
【図７】鎖錠（解錠）過程をハンドル部の外側から示す概略側面図である
【図８】ハンドル部を南京錠でロックした状態を示すハンドル部の内側から示す概略側面図である。
【図９】本発明に係る扉の鎖錠装置を電気・電子機器収納箱の扉に取り付けて鎖錠状態で示す斜視図である。
【図１０】本発明に係る扉の鎖錠装置を電気・電子機器収納箱の扉に取り付けて解錠状態で示す斜視図である。
【符号の説明】
【００２１】
１  軸受板
11  軸孔部
２  ハンドル部
３  回動軸
3a  先端
４  フック
41b  係合部
５  受部材
101  扉
102  折曲部
201  箱本体
【図１】
2005248616.tif 000003
【図２】
2005248616.tif 000004
【図３】
2005248616.tif 000005
【図４】
2005248616.tif 000006
【図５】
2005248616.tif 000007
【図６】
2005248616.tif 000008
【図７】
2005248616.tif 000009
【図８】
2005248616.tif 000010
【図９】
2005248616.tif 000011
【図１０】
2005248616.tif 000012